(57)【要約】【課題】携帯型通信端末で画像とそれに付随する音声とを入手可能にする。【解決手段】携帯電話機４により印刷媒体のＱＲコードを解読して（＃３１）再生ＵＲＬにアクセスすると（＃３２）、メッセージ管理装置２から発信があり（＃３４）、これに応答して呼を確立させると、印刷媒体の画像に対応するメッセージが再生される（＃３６）。従って、印刷媒体を受け取った携帯電話機４のユーザは、画像に付随する音声メッセージ（例えば、画像がある観光名所であり、音声がこの場所の説明）を聞くことができる。【選択図】  図６
2005197942.tif 000002
【特許請求の範囲】
【請求項１】
被写体を撮像し、被写体像を表す画像を送信可能な第１の携帯電話機と、
前記第１の携帯電話機から前記画像に対応する音声メッセージの録音を受け付け、かつ  前記音声メッセージの通話音声信号を送信可能なメッセージ記録再生装置と、
前記第１の携帯電話機から前記画像を受信し、前記受信した画像の印刷注文を受け付け、前記画像及び前記画像に対応する音声メッセージの通話音声信号の送信開始を指示する２次元コードの印刷を要求する注文情報を送信するサービスサーバと、
前記注文情報を受信し、所定の印刷媒体に前記画像及び前記２次元コードを印刷させるようプリンタに指示する印刷サーバと、
前記所定の印刷媒体に印刷された２次元コードを認識することにより前記メッセージ記録再生装置と接続し、前記画像に対応する音声メッセージの通話音声信号を受信する第２の携帯電話機と、
を備える印刷サービスシステム。
【請求項２】
前記サービスサーバは前記画像の受信に応じて前記画像に対応する音声メッセージを記録する領域の確保を前記メッセージ記録再生装置に要求し、前記メッセージ記録再生装置は前記要求に応じて前記領域を確保し、前記領域を特定する識別子を前記サービスサーバに送信する請求項１に記載の印刷サービスシステム。
【請求項３】
前記サービスサーバは前記識別子の受信に応じて前記識別子に対応するＵＲＬ（Uniform Resource Locators）を作成し、前記２次元コードを前記ＵＲＬのＱＲコードとする請求項２に記載の印刷サービスシステム。
【請求項４】
前記第２の携帯電話機は前記ＱＲコードから前記ＵＲＬを認識することにより前記ＵＲＬにアクセスし、前記サービスサーバは前記ＵＲＬへのアクセスに応じ、前記メッセージ記録再生装置に対して前記ＵＲＬに対応する識別子で特定される領域に記録された音声メッセージの通話音声信号を送信するよう要求し、前記メッセージ記録再生装置は前記要求に応じて前記ＵＲＬに対応する識別子で特定される領域に記録された音声メッセージの通話音声信号を前記第２の携帯電話機に送信する請求項３に記載の印刷サービスシステム。
【請求項５】
前記識別子は電話番号であり、前記２次元コードは前記電話番号のＱＲコードである請求項２に記載の印刷サービスシステム。
【請求項６】
前記第２の携帯電話機は前記ＱＲコードから前記電話番号を認識して発信することにより前記メッセージ記録再生装置と接続し、前記メッセージ記録再生装置は前記発信の着信に応じて前記電話番号で特定される領域に記録された音声メッセージの通話音声信号を前記第２の携帯電話機に送信する請求項５に記載の印刷サービスシステム。
【発明の詳細な説明】
【技術分野】
【０００１】
本発明はカメラ付き携帯電話機などの携帯電話機から送信された画像の印刷注文を受け付けて画像を印刷するシステムに関する。
【背景技術】
【０００２】
従来、特許文献１に示されるように、ポスター、吊り広告、タウン誌などの広告媒体に印刷されている二次元コード（例えば、ＱＲコード）を撮影し、その二次元コードを解読して取得することができる携帯型通信端末が提案されている。この二次元コードには、広告対象の商品あるいはサービスの詳細情報が載せられている特定のサイトのＵＲＬ（Uniform Resource Locators）が含まれており、携帯型通信端末が二次元のＵＲＬを取得することで特定のサイトにアクセスできるようになっている。
【特許文献１】特開２００２−１１８６８０号公報
【発明の開示】
【発明が解決しようとする課題】
【０００３】
ところが、上述の特許文献１の技術では、携帯型通信端末により広告媒体の指定した特定のＵＲＬにアクセスできるだけであり、ある携帯型通信端末から画像に音声を付随させて他の携帯型端末の利用者にこれらを入手させる具体的技術は開示されていない。本発明はこのような問題点に鑑み、携帯型通信端末で画像とそれに付随する音声とを入手可能にすることを目的とする。
【課題を解決するための手段】
【０００４】
上述の課題を解決するための請求項１に係る発明は、被写体を撮像し、被写体像を表す画像を送信可能な第１の携帯電話機と、前記第１の携帯電話機から前記画像に対応する音声メッセージの録音を受け付け、かつ前記音声メッセージの通話音声信号を送信可能なメッセージ記録再生装置と、前記第１の携帯電話機から前記画像を受信し、前記受信した画像の印刷注文を受け付け、前記画像及び前記画像に対応する音声メッセージの通話音声信号の送信開始を指示する２次元コードの印刷を要求する注文情報を送信するサービスサーバと、前記注文情報を受信し、所定の印刷媒体に前記画像及び前記２次元コードを印刷させるようプリンタに指示する印刷サーバと、前記所定の印刷媒体に印刷された２次元コードを認識することにより前記メッセージ記録再生装置と接続し、前記画像に対応する音声メッセージの通話音声信号を受信する第２の携帯電話機と、を備える印刷サービスシステムである。
【０００５】
請求項２に係る発明は、前記サービスサーバは前記画像の受信に応じて前記画像に対応する音声メッセージを記録する領域の確保を前記メッセージ記録再生装置に要求し、前記メッセージ記録再生装置は前記要求に応じて前記領域を確保し、前記領域を特定する識別子を前記サービスサーバに送信する請求項１に記載の印刷サービスシステムである。
【０００６】
請求項３に係る発明は、前記サービスサーバは前記識別子の受信に応じて前記識別子に対応するＵＲＬ（Uniform Resource Locators）を作成し、前記２次元コードを前記ＵＲＬのＱＲコードとする請求項２に記載の印刷サービスシステムである。
【０００７】
請求項４に係る発明は、前記第２の携帯電話機は前記ＱＲコードから前記ＵＲＬを認識することにより前記ＵＲＬにアクセスし、前記サービスサーバは前記ＵＲＬへのアクセスに応じ、前記メッセージ記録再生装置に対して前記ＵＲＬに対応する識別子で特定される領域に記録された音声メッセージの通話音声信号を送信するよう要求し、前記メッセージ記録再生装置は前記要求に応じて前記ＵＲＬに対応する識別子で特定される領域に記録された音声メッセージの通話音声信号を前記第２の携帯電話機に送信する請求項３に記載の印刷サービスシステムである。
【０００８】
請求項５に係る発明は、前記識別子は電話番号であり、前記２次元コードは前記電話番号のＱＲコードである請求項２に記載の印刷サービスシステムである。
【０００９】
請求項６に係る発明は、前記第２の携帯電話機は前記ＱＲコードから前記電話番号を認識して発信することにより前記メッセージ記録再生装置と接続し、前記メッセージ記録再生装置は前記発信の着信に応じて前記電話番号で特定される領域に記録された音声メッセージの通話音声信号を前記第２の携帯電話機に送信する請求項５に記載の印刷サービスシステムである。
【発明の効果】
【００１０】
上記発明によると、第１の携帯電話機から撮影した画像がサービスサーバに送信され、その画像に対応する音声メッセージがメッセージ記録再生装置に記録される。サービスサーバが第１の携帯電話機から画像の印刷注文を受け付けると、印刷サーバは画像と画像に対応する音声メッセージの通話音声信号送信開始を指示するＱＲコードなどの２次元コードとを所定の印刷媒体に印刷するようプリンタに指示する。第２の携帯電話機が印刷媒体に印刷された２次元コードを認識するとメッセージ記録再生装置と接続し、印刷媒体に印刷された画像に対応する音声メッセージの通話音声信号がメッセージ記録再生装置から第２の携帯電話機に送信される。従って、第２の携帯電話機のユーザは、印刷媒体に印刷された２次元コードを第２の携帯電話機に認識させることで、印刷媒体に印刷された画像に対応する音声を通話音声により聞くことができる。
【発明を実施するための最良の形態】
【００１１】
以下、添付した図面を参照し本発明の好ましい実施例を説明する。
【実施例１】
【００１２】
（１）機能構成
図１は、本発明の好ましい実施例に係るプリントサービスシステムの機能構成図である。このシステムは、サービスサーバ１、メッセージ管理装置２、携帯電話機３・４、プリントサーバ５、及びプリンタ６を備え、サービスサーバ１、携帯電話機３・４、プリントサーバ５はインターネットなどの通信回線で接続されている。また、メッセージ管理装置２と携帯電話機３・４とは移動体無線通信網で接続されている。携帯電話機３・４は、周知のカメラ付き携帯電話機であり、カメラで撮影した画像を電子メールに添付するなどしてサービスサーバ１に送信でき、またＵＲＬを指定してＷＷＷサーバのＷｅｂサイトにアクセスできる。メッセージ管理装置２は、半導体記憶装置などで構成され音声メッセージを記録するメッセージ記録部２１と、ＣＰＵなどで構成される記録制御部２２と、記録された音声メッセージを通話音声信号として再生する再生部２３とを有しており、記録制御部２２は携帯電話機３からの電話着信による音声メッセージをメッセージ記録部２１に録音し、記録させた音声メッセージごとに識別子を付与する。以下、この識別子をメッセージＩＤという。メッセージ管理装置２は、発信側から着信側に対する通話内容を着信側に代わり録音し、着信側から問い合わせることで録音された音声を再生するいわゆる留守番電話サービスセンターを用いることで構成できる。
【００１３】
サービスサーバ１は半導体記憶装置などで構成されるサービス情報記憶部１１とＣＰＵなどで構成されるサービス制御部１２とを有している。図２は、サービスサーバ１のサービス情報記憶部１１に記憶される情報をテーブル形式で示した例である。この情報は、画像の送信元、画像を表すデータ（以下、このデータを単に画像で表現する）、画像に付随させる文字列、携帯電話機４がメッセージ管理装置２に録音された特定のメッセージを再生するためにアクセスするＵＲＬである再生ＵＲＬ、及び携帯電話機３から指定された特定の画像に付随させる音声メッセージの識別子であるメッセージＩＤを対応づけている。なお、例えば１つの送信元及びメッセージＩＤと画像や文字の対応は１対１でなくてもよく、１つの送信元及びメッセージＩＤに複数の画像や文字が対応していてもよい。そして、後述のように、画像が複数の場合、印刷する画像を携帯電話機３で選択できるようにすることもできる。
【００１４】
再び図１を参照すると、プリントサーバ５は、サービスサーバ１から受信した注文情報に従って印刷データを作成してプリンタ６に出力する。プリンタ６は、印刷データに基づいてインスタントプリントやポストカードなどの所定の印刷媒体に印刷する。図３は、プリンタ６の印刷例である。図３のように、印刷媒体２６の中央には画像が印刷されており、印刷媒体２６の四隅には複数のＱＲコード２７Ａ〜２７Ｄが印刷されている。これらのＱＲコード２７Ａ〜２７Ｄのうちいずれか１つが再生ＵＲＬを表すものであるが、その他のＱＲコードには広告にアクセスさせるためのＵＲＬや、ＵＲＬ以外の情報（例えば、携帯電話機３から指定された文字列）を埋め込んでもよい。携帯電話機４は、ＱＲコードを解読する機能を有している。なお、プリントサーバ５及びプリンタ６は１箇所に限らず全国に複数箇所設置し、後述のようにユーザが指定する送付先に最も近いプリントサーバ５及びプリンタ６に注文情報及びＱＲコードを送信するのが望ましい。
【００１５】
（２）プリントサービスシステムで行われる処理
以下、プリントサービスシステムで行われる処理を説明する。このシステムでは、画像及びメッセージ登録処理、印刷処理及びメッセージ再生処理が行われる。
【００１６】
（２−１）画像及びメッセージ登録処理
まず、図４に従って画像及びメッセージ登録処理の流れを説明する。携帯電話機３は、付属のカメラにより撮像を行い、必要に応じてキー操作により文字入力を受け付け（＃１）、撮像された画像及び入力された文字列をサービスサーバ１に電子メールなどで送信する（＃２）。サービスサーバ１のサービス制御部１２は、携帯電話機３から画像及び文字を受信すると、これらに携帯電話機３の電子メールアドレスなどネットワーク上の識別子を対応づけてサービス情報記憶部１１に記憶する（＃３）。さらに、サービスサーバ１のサービス制御部１２は、メッセージ管理装置２のメッセージ記録部２１内に所定の時間（例えば、一分間）だけ音声メッセージを記録できる領域を確保するようメッセージ管理装置２に要求する（＃４）。メッセージ管理装置２の記録制御部２２は、この要求を受信すると、メッセージ記録部２１に所定の時間だけ音声メッセージを記録できる領域を確保させ、この領域にメッセージＩＤを付与する。
【００１７】
メッセージ管理装置２の記録制御部２２は、＃５で付与したメッセージＩＤをサービスサーバ１に通知する（＃６）。メッセージＩＤを受信したサービスサーバ１のサービス制御部１２は、携帯電話機３にメッセージの録音先を通知する（＃７）。メッセージの録音先とは、例えば携帯電話機３からメッセージ管理装置２へ着信するための電話番号であるが、この電話番号を各々一意的にできる場合はメッセージの録音先及びメッセージＩＤを共通してこの電話番号にしてもよい。携帯電話機３が通知された録音先を指定すると、携帯電話機３からメッセージ管理装置２へ着信して呼が確立し、携帯電話機３からの通話音声がメッセージＩＤで特定される領域に記録される（＃８）。そして、呼確立から所定時間が経過するかまたは所定時間内に呼が切断された場合、メッセージ管理装置２の記録制御部２２はメッセージの記録が終了した旨をサービスサーバ１に通知する（＃９）。サービスサーバ１のサービス制御部１２は、メッセージ記録終了の通知を受信すると、すでに記憶されている画像及び文字列に＃６で通知されたメッセージＩＤをさらに対応づけてサービス情報記憶部１１に記憶させる（＃１０）。
【００１８】
（２−２）印刷処理
次に、図５に従って印刷処理の流れを説明する。携帯電話機３のボタン操作などにより、すでにサービスサーバ１に送信した画像のうちいずれかの印刷したい画像を選択させ、必要に応じて画像の周囲を囲むフレームを選択させ、必要に応じて印刷した画像の送付先を入力させることで（＃１１）、携帯電話機３は上記の入力及び選択の結果を画像の印刷要求としてサービスサーバ１に送信する。サービスサーバ１のサービス制御部１２は、印刷要求を受信すると、選択された画像・文字列に対応するメッセージＩＤで特定されるメッセージの再生を開始させる再生ＵＲＬを生成して選択された画像・文字列に対応させてサービス情報記憶部１１に記憶させるとともに、その再生ＵＲＬをＱＲコード化する。そして、選択された画像・文字列のデータ、再生ＵＲＬのＱＲコード、画像の送付先を注文情報としてデータ化し（＃１３）、プリントサーバ５に送信する（＃１４）。プリントサーバ５は、受信した注文情報・ＱＲコードに基づいて画像・フレーム・ＱＲコードを印刷媒体２６に印刷させるための印刷データを作成して（＃１５）プリンタ６に出力する（＃１６）。プリンタ６は、図３のように受信した印刷データに基づいて印刷媒体２６に画像やＱＲコード２７などを印刷する（＃１７）。なお、＃１１で送付先（例えばコンビニエンスストア、写真店、自宅）が指定されている場合はこの印刷媒体２６を指定の送付先に郵送などで送付してもよい。また、送付先の指定後に携帯電話機３のボタン操作などにより印刷に要する料金の決済方法を選択させてもよい。
【００１９】
（２−３）メッセージ再生処理
次に、図６（ａ）に従ってメッセージ再生処理の流れを説明する。携帯電話機４が印刷媒体２６に印刷されているＱＲコード２７を解読して再生ＵＲＬを認識すると（＃３１）、この再生ＵＲＬにアクセスする（＃３２）。サービスサーバ１は、アクセスのあった再生ＵＲＬに対応するメッセージＩＤ及び携帯電話機４の電話番号をメッセージ管理装置２に通知するとともに、通知したメッセージＩＤに対応するメッセージを再生させる要求をメッセージ管理装置２に送信する（＃３３）。メッセージ管理装置２は、通知された電話番号に基づいて携帯電話機４に発信し（＃３４）、この発信を携帯電話機４が着信してメッセージ管理装置２との呼を確立させると（＃３５）、メッセージ管理装置２の再生部２３は＃３３で通知したメッセージＩＤで特定される領域に記録されるメッセージの通話音声信号を携帯電話機４に送信する。
【００２０】
（３）本実施例に係るプリントサービスシステムの特徴
上述のように、携帯電話機３で撮影した画像をサービスサーバ１に送信すると（＃２）、メッセージ録音先が通知される（＃７）。携帯電話機３が通知された録音先を指定すると、携帯電話機３からメッセージ管理装置２へ着信して呼が確立し、携帯電話機３からの通話音声がメッセージＩＤで特定される領域に記録される（＃８）。その一方、記録された音声メッセージを特定するメッセージＩＤが画像と対応づけられてサービスサーバ１に記憶される（＃１０）。携帯電話機３によりサービスサーバ１に記憶された画像のうち任意の画像を選択すると（＃１１）、選択された画像及びその画像に対応する音声メッセージを再生させる再生ＵＲＬのＱＲコードが印刷媒体に印刷される（＃１７）。従って、携帯電話機３のユーザは画像に付随させたいメッセージをＱＲコードという形で印刷媒体に記録させておくことができる。
【００２１】
また、携帯電話機４により印刷媒体のＱＲコードを解読して（＃３１）再生ＵＲＬにアクセスすると（＃３２）、メッセージ管理装置２から発信があり（＃３４）、これに応答して呼を確立させると、印刷媒体の画像に対応するメッセージが再生される（＃３６）。従って、印刷媒体を受け取った携帯電話機４のユーザは、画像に付随する音声メッセージ（例えば、画像がある観光名所であり、音声がこの場所の説明）を聞くことができる。
さらに、発信はメッセージ管理装置２から行われる（＃３４）ため、携帯電話機４で音声メッセージを聞くためには携帯電話機４から再生ＵＲＬにアクセスするだけで済む。即ち、携帯電話機４の機種や加入電話会社などに依存しない音声メッセージの再生が可能となる。
【実施例２】
【００２２】
実施例１の印刷処理では、再生ＵＲＬをＱＲコード化して印刷していたが、メッセージＩＤと共通する電話番号をＱＲコード化して印刷させてもよい。そして、メッセージ再生処理は、図６（ｂ）に示すように携帯電話機４がＱＲコードから解読される電話番号に発信し（＃４２）、メッセージ管理装置２はこれを着信すると携帯電話機４の発信した電話番号をメッセージＩＤとする領域に記録されているメッセージの通話音声信号を携帯電話機４に送信する（＃４３）ようにしてもよい。このようにしても、印刷媒体を受け取った携帯電話機４のユーザは画像に付随する音声メッセージを聞くことができ、さらに実施例１のようにメッセージ管理装置２から着信することにより電話料の負担がメッセージ管理装置２に集中するという問題も生じない。
【実施例３】
【００２３】
実施例１において携帯電話機４が再生ＵＲＬにアクセスした場合、サービスサーバ１はアクセスした再生ＵＲＬに対応するメッセージＩＤである電話番号を携帯電話機４に送信し、携帯電話機４が受信した電話番号に着信するとメッセージ管理装置２がこの電話番号即ちメッセージＩＤに対応するメッセージの通話音声信号を携帯電話機４に送信するようにしてもよい。このようにすれば、再生ＵＲＬにアクセスした携帯電話機４のみがメッセージを聞く電話番号を得ることができるため、印刷媒体に電話番号のＱＲコードを印刷するよりもメッセージの秘匿性が高まる。また、実施例１のようにメッセージ管理装置２から着信することにより電話料の負担がメッセージ管理装置２に集中するという問題も生じない。
【図面の簡単な説明】
【００２４】
【図１】本発明の好ましい実施例に係るプリントサービスシステムの機能構成図。
【図２】サービス情報記憶部に記憶されるデータの一例。
【図３】印刷媒体に印刷されたＱＲコードの一例。
【図４】画像及びメッセージ登録処理の流れを示す図。
【図５】印刷処理の流れを示す図。
【図６】メッセージ再生処理の流れを示す図。
【符号の説明】
【００２５】
１・・サービスサーバ、２・・メッセージ管理装置、３、４・・携帯電話機、５・・プリントサーバ、６・・プリンタ
【図１】
2005197942.tif 000003
【図２】
2005197942.tif 000004
【図３】
2005197942.tif 000005
【図４】
2005197942.tif 000006
【図５】
2005197942.tif 000007
【図６】
2005197942.tif 000008